(57)【要約】【課題】物根系による土壌緊縛効果が及ばない表層崩落を簡易な構造及び工程で低コストに防止することを実現するとともに、法面等の斜面を効率よく緑化する。【解決手段】法面等の傾斜地に生育基盤を吹き付けして緑化する緑化工法であって、傾斜地の表面に網状体を布設し、前記網状体を布設した傾斜地にアンカーを設置し、前記アンカーの上端部から放射状に延びる複数の翼状部により前記網状体を傾斜地に固定した後、前記網状体の一部又は全体の上に生育基盤を吹き付けることを特徴とする。前記アンカーの翼状部により前記網状体を傾斜地に固定する際、前記翼状部と傾斜地の間に嵌合部を配置し、前記網状体は前記嵌合部に対して嵌り込むことを特徴とする。【選択図】図１
2015175118.tif 000002
【特許請求の範囲】
【請求項１】
法面等の傾斜地に生育基盤を吹き付けして緑化する緑化工法であって、
傾斜地の表面に網状体を布設し、前記網状体を布設した傾斜地にアンカーを設置し、前記アンカーの上端部から放射状に延びる複数の翼状部により前記網状体を傾斜地に固定した後、前記網状体の一部又は全体の上に生育基盤を吹き付けることを特徴とする
傾斜地の緑化工法。
【請求項２】
前記アンカーの翼状部により前記網状体を傾斜地に固定する際、前記翼状部と傾斜地の間に嵌合部を配置し、前記網状体は前記嵌合部に対して嵌り込むことを特徴とする
請求項１に記載の傾斜地の緑化工法。
【請求項３】
複数の前記アンカーを略横方向、略縦方向又は略斜め方向の少なくともいずれかの方向に並べて前記アンカーの列を形成するように設置する場合において、前記アンカーの設置前に前記網状体の一部の上又は下に重ね合わせて配置された補強体を有し、前記補強体は前記アンカーの列の位置に中心線をもつ帯状の範囲に配置され、かつ、前記補強体の幅は前記アンカーの列に垂直な方向における前記アンカーの翼状部の差し渡し長さを少なくとも有することを特徴とする
請求項１又は２に記載の傾斜地の緑化工法。
【請求項４】
複数の前記アンカーを複数の列を形成するように設置した後、前記アンカーの各列の位置に中心線をもつ帯状の第１の範囲、又は、前記第１の範囲以外の第２の範囲のいずれかに対して前記網状体の上に生育基盤を吹き付け、前記第１の範囲の幅は、前記アンカーの各列に垂直な方向における前記アンカーの翼状部の差し渡し長さを少なくとも有することを特徴とする
請求項１〜３のいずれかに記載の傾斜地の緑化工法。
【請求項５】
複数の前記アンカーを複数の列を形成するように設置した後、前記アンカーの各列の位置に中心線をもつ帯状の第１の範囲に対し前記網状体の上に硬化材料を吹き付けるとともに、前記第１の範囲以外の第２の範囲に対し前記網状体の上に生育基盤を吹き付け、前記第１の範囲の幅は、前記アンカーの各列に垂直な方向における前記アンカーの翼状部の差し渡し長さを少なくとも有することを特徴とする
請求項１〜３のいずれかに記載の傾斜地の緑化工法。
【発明の詳細な説明】
【技術分野】
【０００１】
本発明は、法面等の傾斜地の表層の補強、安定化を図るとともに、その表面を面的、あるいは、非面的に緑化する方法に関する。
【背景技術】
【０００２】
傾斜地を緑化する場合、法面表層が安定している場合には、一般に、緑化基礎工として網張工が、植生工として植生基材吹付、客土吹付などを行う吹付緑化工法が採用される。網張工には、菱形金網や合成樹脂ネットに代表される網状体が広く用いられている。
一方、法面表層が安定していない場合には、吹付枠工、地山補強土工などの抑制工が用いられ、さらに深い方向に対してはグラウンドアンカー工などの抑止工が用いられる。
【０００３】
しかしながら、設計施工の実際においては、吹付緑化工法のみでは不安が残るが、抑制工までは必要のない法面が多く存在する。こうした中間程度の安定性をもつ法面に対して前者を採用した場合には、将来的に表層崩壊が発生するリスクを許容する必要があり、一方、後者を採用した場合には、過大設計の指摘を受けるリスクを許容しなければならない。
【０００４】
法面表層が安定していない場合の、アンカー及び補強体を用いる抑制工を行う例として特許文献１〜４がある。
特許文献１は、法面にネットを布設した上に格子状に筒状袋を布設し、交点をアンカーで固定した後、筒状袋内にセメントモルタルを注入硬化させる法面安定工法を開示する。
特許文献２は、法面に対しアンカーによる地山補強工と連続繊維補強土工とを複合施工する工法においてアンカーと金網とワイヤロープによる補強工を併用する工法を開示する。
特許文献３、４は、斜面に布設したネットや金網の上に、多孔帯状体を筒状にした法枠骨組を配置し、骨組内部に砂基材を供給して法枠を形成し、法枠間又は法枠交点にて受圧板をアンカーにより固定する斜面緑化安定化構造を開示する。
【先行技術文献】
【特許文献】
【０００５】
【特許文献１】特開平７−１１９１５４号公報
【特許文献２】特開２０００−３１９８８８号公報
【特許文献３】特開２００８−３０３６７１号公報
【特許文献４】特開２０１１−０８９３０８号公報
【発明の概要】
【発明が解決しようとする課題】
【０００６】
しかしながら、特許文献１〜４に開示された抑制工は、構造及び工程が複雑でありかつ材料の種類も多く、施工コストが高くなるので、中間程度の安定性の斜面に対しては過大な対策となる。その一方で、中間程度の安定性の斜面は、抑制工を全く行わない緑化工の植物根系による土壌緊縛効果のみでは表層崩落を防止することはできない。
【０００７】
本発明は、吹付緑化工と抑制工の中間にあたる法面保護工を提供することにより、植物根系による土壌緊縛効果が及ばない表層崩落を簡易な構造及び工程で低コストに防止することを実現するとともに、法面等の斜面を効率よく緑化することを目的とする。
【課題を解決するための手段】
【０００８】
上記の目的を達成するために、本発明は、以下の構成を提供する。
本発明の態様は、法面等の傾斜地に生育基盤を吹き付けして緑化する緑化工法であって、傾斜地の表面に網状体を布設し、前記網状体を布設した傾斜地にアンカーを設置し、前記アンカーの上端部から放射状に延びる複数の翼状部により前記網状体を傾斜地に固定した後、前記網状体の一部又は全体の上に生育基盤を吹き付けることを特徴とする。
【０００９】
上記態様の一例ではさらに、前記アンカーの翼状部により前記網状体を傾斜地に固定する際、前記翼状部と傾斜地の間に嵌合部を配置し、前記網状体は前記嵌合部に対して嵌り込むことを特徴とする。
【００１０】
上記態様の一例ではさらに、複数の前記アンカーを略横方向、略縦方向又は略斜め方向の少なくともいずれかの方向に並べて前記アンカーの列を形成するように設置する場合において、前記アンカーの設置前に前記網状体の一部の上又は下に重ね合わせて配置された補強体を有し、前記補強体は前記アンカーの列の位置に中心線をもつ帯状の範囲に配置され、かつ、前記補強体の幅は前記アンカーの列に垂直な方向における前記アンカーの翼状部の差し渡し長さを少なくとも有することを特徴とする。
【００１１】
上記態様の一例ではさらに、複数の前記アンカーを複数の列を形成するように設置した後、前記アンカーの各列の位置に中心線をもつ帯状の第１の範囲、又は、前記第１の範囲以外の第２の範囲のいずれかに対して前記網状体の上に生育基盤を吹き付け、前記第１の範囲の幅は、前記アンカーの各列に垂直な方向における前記アンカーの翼状部の差し渡し長さを少なくとも有することを特徴とする。
【００１２】
上記態様の一例ではさらに、複数の前記アンカーを複数の列を形成するように設置した後、前記アンカーの各列の位置に中心線をもつ帯状の第１の範囲に対し前記網状体の上に硬化材料を吹き付けるとともに、前記第１の範囲以外の第２の範囲に対し前記網状体の上に生育基盤を吹き付け、前記第１の範囲の幅は、前記アンカーの各列に垂直な方向における前記アンカーの翼状部の差し渡し長さを少なくとも有することを特徴とする。
【発明の効果】
【００１３】
本発明により、法面保護工の設計施工において、吹付緑化工のみでは不安が残るが、抑制工までは必要ない法面等の斜面に対して効率的な表層の安定化を図り、将来的に表層崩壊が発生するリスク及び過大設計の指摘を受けるリスクを回避することができる。
【００１４】
さらに、法面全体に生育基盤を吹き付けする全面緑化を行うと、導入した植物が繁茂して施工後に周辺から飛来する種子の定着が妨げられ、植生遷移が停滞する場合がある。本発明は、法面を非面的（全面ではなく選択的範囲のみ）に緑化することができるので、周辺から飛来する種子の定着を阻害するおそれが無く、植生の自然回復を促進する効果が期待できる。
【００１５】
非面的に生育基盤を吹き付ける場合には、その位置出し作業が必要となるが、本発明においては、斜面の安定化を図る機構の構築がそのまま位置出し作業を兼ねることになるので、位置出し作業が不要である。
【図面の簡単な説明】
【００１６】
【図１】図１は、本発明の実施形態の一例を示した概略断面図である。
【図２】図２は、図１に示した２種のアンカー及びその他の変形例を示した平面図及び側面図である
【図３】図３は、本発明の実施形態の別の例を示した概略断面図である。
【図４】図４は、図３に示したアンカーの設置手順の例を示した図である。
【図５】図５は、本発明の実施形態のさらに別の例を示した概略断面図である。
【図６】図６は、図５のアンカーにおける嵌合部と網状体の嵌合状態の一例を示すための部分拡大図である。
【図７】図７は、本発明の傾斜地への適用例を示した概略平面図である。
【図８】図８は、本発明の傾斜地への別の適用例を示した概略平面図である。
【図９】図９は、本発明における生育基盤の吹き付け方法の例を示す図である。
【図１０】図１０は、本発明における生育基盤と硬化材料の吹付方法の例を示す図である。
【発明を実施するための形態】
【００１７】
以下、図面を参照して本発明の実施形態を説明する。
図１は、本発明の実施形態の一例を示した概略断面図である。先ず、施工対象となる法面や斜面等の傾斜地表面１の全体に網状体２を布設する。網状体２としては、例えば菱形金網、樹脂ネット、ワイヤネット等が用いられる。また、網状体２は、傾斜地表層が不安定なほど、強度を有するものを用いるのが好適である。一般的には菱形金網が用いられる。
【００１８】
網状体２を設置した後、アンカー３を設置する。本発明のアンカー３は、その上端部から放射状に延びる複数の翼状部３１を有する。図１では、アンカー３の２つの実施例を示すために、翼状部３１の形状が異なる２種のアンカー３（以下、これらのアンカーを区別する際に符号３Ａ、３Ｂを用い、翼状部の形状を区別する際に符号３１ａ、３１ｂを用いる）を示している。アンカー形状の詳細については、図２を参照して後述する。
【００１９】
アンカー３及びその翼状部３１の材質は特に限定されないが、一般的には鉄筋などの鋼材が用いられる。アンカーは、地山との周面摩擦力を高められる構造が望ましく、表面に凹凸を付けた鋼棒の他、中空の鋼管の表面に凹凸をつけた資材を用いることにより、周面摩擦力を高めることができる。さらに、中空の鋼管の内側にも凹凸をつけた資材を用いることにより、セメントミルク等の接着材を用いてアンカーを設置した場合に接着材による付着力を高めることができることから、好適である。
【００２０】
アンカー３を設置することにより、翼状部３１は、傾斜地表面１上での網状体２の移動を抑止し、網状体２を傾斜地表面１に対して押さえ付ける。このようにしてアンカー３により網状体２を傾斜地表面１に固定する。
【００２１】
アンカー３の設置方法としては、人力や機械力による打設、圧入等の方法がある。その他に、削孔機で穴を掘った上でアンカー３を挿入したり、必要に応じてセメントミルク等の接着材を用いて地山とアンカー３を一体化したりする等の公知の方法を適用できる。予想される傾斜地表層の崩壊深度が深くなるほど、後者の方法が好適である。また、アンカー３の打設により網状体２に引っ張り力が生じるため、アンカー３は、複数の網状体２の境界における重ね合わせ目に合わせるように設置すると好適である。
【００２２】
アンカー３を設置した後、網状体２の一部又は全体の上に生育基盤４を吹き付ける。生育基盤４の厚さは、好適には、少なくとも翼状部３１が隠れる程度とする。但し、アンカー３の頭部が生育基盤４の上に突き出てもよい。翼状部３１は、生育基盤４の厚さの目安とするのに都合がよい。少なくとも翼状部３１が見えない程度の厚さに吹き付けることにより、緑化に適した厚みを生育基盤を容易に造成できる。さらに、構造物である翼状部３１が生育基盤４により完全に被覆されることから、景観的にも好ましくなる。生育基盤４の吹き付け手段は特に限定されないが、厚みを有する生育基盤４を造成する場合には、エアー方式の植生基材吹付工が好適である。これにより傾斜地の緑化工法が完了する。
【００２３】
本発明に用いる生育基盤４は、種子を混合したものでも、種子を混合しないものでもよい。種子を混合した場合には計画的な緑化が可能であり、種子を混合しない場合には飛来種子による緑化を行うことが可能である。
【００２４】
図２は、図１に示した２種のアンカー３Ａ、３Ｂ及びその他の変形例を示した平面図及び側面図である。図２に示した各アンカーは、棒状のアンカー本体部３２の上端部３３（上端及び上端近傍を含む）に翼状部３１ａ、３１ｂが予め取り付けられ一体化されている。
【００２５】
図２（ａ１）（ｂ１）（ｃ１）（ｄ１）の平面図にて、上端部３３を中心として径方向すなわち放射状に延びる１つの翼状部３１ａ、３１ｂは、鉄筋を枠状に成形した鉄筋枠部材が好適である。翼状部を枠状とすることにより、植生基材や硬化材を上から吹き付ける際に、翼状部の下の空間にも翼状部に妨げられることなく吹付けることができる。また、硬化材を吹き付ける場合は、硬化材が枠内に入り込んで翼状部と一体化することで強度が向上する。翼状部３１ａ、３１ｂの幅は、生育基盤４等の傾斜地表面１への付着性を高めるために、アンカー本体部３２の直径よりも大きい幅とすることが好適である。翼状部３１ａ、３１ｂの長さは特に限定されないが、一般的には、基端（アンカー本体部３２の上端部３３）から先端までの長さを１０ｃｍ〜１００ｃｍ程度とする。施工性、後述する補強体による傾斜地表層の安定効果、及び、非面的な生育基盤４の吹き付けを考慮した場合、１５ｃｍ〜５０ｃｍ程度が好適である。
【００２６】
図２（ａ１）及び（ａ２）に平面図及び側面図を示したアンカー３Ａは、１８０度異なる二方向に延びる２本の翼状部３１ａを有し、各翼状部３１ａは、設置されたとき傾斜地表面側に向かって凹となる湾曲をもつ。図１に示したように、アンカー３Ａでは、主として翼状部３１ａの先端部分が網状体２及び傾斜地表面１を直接押さえ付けるとともに、湾曲した翼状部３１ａ全体が、網状体２及び傾斜地表面１をスプリング（バネ）により弾性的に押さえ付ける効果を生じる。また、湾曲していることから、傾斜地表面１が平らでない場合にも、この効果を発揮できる。
【００２７】
図２（ｂ１）及び（ｂ２）に平面図及び側面図を示したアンカー３Ｂは、１８０度異なる二方向に直線状に延びる２本の翼状部３１ｂを有する。図１に示したように、アンカー３Ｂでは、翼状部３１ｂ全体が直接、網状体２及び傾斜地表面１を押さえ付ける効果を生じる。
【００２８】
図２（ｃ１）及び（ｃ２）に平面図及び側面図を示したアンカー３Ａ’は、アンカー３Ａの変形例であり、９０度毎に四方向に延びる傾斜地表面側に凹の湾曲をもつ翼状部３１ａを有する。
【００２９】
図２（ｄ１）及び（ｄ２）に平面図及び側面図を示したアンカー３Ｂ’は、アンカー３Ｂの変形例であり、９０度毎に四方向に延びる直線状の翼状部３１ｂを有する。
【００３０】
図示しないが、翼状部は、１２０度毎に三方向、６０度毎に六方向に放射状に延びるように形成してもよく、その数は特に限定されない。翼状部の数が多くなるほど、網状体を傾斜地に効率的に押さえ付ける効果が増すが、翼状部の数が多くなるほど重量が増加するので、施工性を考慮すると二方向、三方向又は四方向のものが、好適である。
【００３１】
図３は、本発明の実施形態の別の例を示した概略断面図である。図３のアンカー３は、図１のアンカー３と機能的には共通しているが、翼状部３１とアンカー本体部３２が予め一体化されておらず、ナット３５により結合される点で異なる。この形態は、アンカー３のアンカー本体部３２の長さが比較的長い場合、作業的に好適である。図３では、２つの実施例を示すために、図２に示した湾曲した翼状部３１ａをもつアンカー３Ｃと、直線状の翼状部３１ｂをもつアンカー３Ｄを示している。翼状部３１の形状については、図２で示した通り、これらに限られず多様に選択できる。図３中のその他の構成については、図１と同じである。
【００３２】
図４は、図３に示したアンカー３Ｃの設置手順の例を示した図である。なお、アンカー３Ｄについても同様である。
【００３３】
図４（ａ）に示すように、先ずアンカー本体部３２を傾斜地に設置する。アンカー本体部３２の上端から適宜の長さ範囲にボルト部３４が形成されている。別部材である翼状部３１ａの中心には、貫通孔３６が穿設されている。次に、図４（ｂ）に示すように、アンカー本体部３２のボルト部３４を、翼状部３１ａの貫通孔３６に挿通させ、翼状部３１ａを取り付ける。その後、図４（ｃ）に示すように、ナット３５をボルト部３４に取り付けて適宜の力で締め付ける。これにより、翼状部３１ａが弾性的に撓み、網状体２及び傾斜地表面１に弾性的に押し付けられることとなる。
【００３４】
図５は、本発明の実施形態のさらに別の例を示した概略断面図である。
図５では、図３に示したアンカー３Ｃ、３Ｄを用いて網状体２を傾斜地表面１に固定する際、翼状部３１ａ、３１ｂと傾斜地表面１との間に嵌合部５を配置している。なお、嵌合部５は、図１に示したアンカー３Ａ、３Ｂにも同様に適用できる。
【００３５】
嵌合部５の上端の少なくとも一部は翼状部３１ａ、３１ｂと接触し、嵌合部５の下端は傾斜地表面１と接触している。嵌合部５は、翼状部３１ａ、３１ｂから押圧されることにより、傾斜地表面１に対して押圧力を及ぼす。傾斜地表面１に布設された網状体２は、嵌合部５に嵌合する。
【００３６】
図６は、図５のアンカー３Ｃにおける嵌合部５と網状体２の嵌合状態の一例を示すための部分拡大図である。嵌合部５の下端側には、溝や切り欠き等５１が形成されている。これらの溝や切り欠き等５１の中に、網状体２を形成している線材が嵌り込むことができる。
【００３７】
傾斜地表面１が軟らかい場合には、嵌合部５が地山に食い込むようにしてより強固に固定され、網状体２が傾斜地表面１を被覆して固定する効果を増強することができる。嵌合部５の形状は、網状体２と嵌合する形状であれば特に限定されず、材質は例えば鋼材であるが、これに限定されない。
【００３８】
以上の図１〜図６に示した本発明の工法によれば、網状体を翼状部付きのアンカーで面的に押えることができるので、表層が不安定化するおそれのある法面を効率的に安定保持することが可能となる。従来技術では、翼状部の無い一般的なアンカーで網状体を点的に押えるのみであったため、傾斜地表層が動いた場合にアンカーと網状体との接続部分の欠損等により、十分な安定効果が得られなかった。従来は、こうした問題点を補うために法枠工等の併用が必要になるなど、構造物が大型化することが避けられなかった。また、必要以上の過大な構造物を設けざるを得なかった。
【００３９】
図７は、本発明の傾斜地への適用例を示した概略平面図である。
傾斜地表面に布設した網状体２の上から、アンカー３を、略横方向（略水平方向）及び略縦方向（傾斜地の略傾斜方向）に適宜の間隔で設置することにより、略横方向及び略縦方向にそれぞれアンカーの複数の列を形成している。
【００４０】
図８は、本発明の傾斜地への別の適用例を示した概略平面図である。
本適用例においては、傾斜地表面に布設した網状体２の一部の上又は下に補強体６を重ね合わせて配置している。補強体６は、アンカー３の設置前に、アンカー３を設置する予定となっている所定の範囲に配置される。例えば、複数のアンカー３を、略横方向、略縦方向又は略斜め方向（略横方向又は略縦方向に対して所定の角度で傾斜した方向）のうち、少なくともいずれかの方向に並べてアンカー３の列を形成するように設置する予定となっている場合、補強体６は、予定されるアンカー３の列の位置に中心線Ｃ１、Ｃ２、Ｃ３をもつような帯状の範囲に配置される。
【００４１】
さらに、略横方向、略縦方向又は略斜め方向のそれぞれの補強体６の幅は、中心線Ｃ１、Ｃ２、Ｃ３に垂直な方向における、予定されるアンカー３の翼状部の差し渡し長さ（中心線から最も遠い翼状部先端までの長さの２倍）Ｌ１、Ｌ２、Ｌ３を少なくとも有することが好適である。アンカー設置の際に補強体６が地山にめり込む場合もあるので、補強体６の幅は、最初から翼状部の差し渡し長さと同じ長さにせず、予め余裕を持たせて設計することが好ましい。このようにすれば、理想的には、アンカー設置後の補強体６の幅を翼状部の差し渡し長さとほぼ同じとすることができる。
【００４２】
図８では、説明の便宜上、３つの方向に配置した補強体６を同時に示しているが、補強体６は一方向のみに配置してもよく、又は、二方向若しくは三方向を組合せて配置してもよい。二方向の場合、例えば略縦方向と略横方向を組み合わせた格子状、向きの異なる２つの略斜め方向を組み合わせた格子状とすることにより、アンカー相互が一体化して地山を抑える力が働くので、一方向のみの場合に比べて傾斜地表面１の補強効果をさらに高めることができる。このような施工を行うことにより、緑化工に地山補強土工（鉄筋挿入工）としての効果をもたせることが可能となる。
【００４３】
補強体６の材質は、傾斜地表面１を帯状に締め付ける効果を発揮できるものであればよく、特に限定されない。例えば、効率的な緑化を行うために傾斜地表面１に布設した網状体２と同質の材料とするか、又は、ジオテキスタイル、金網、エキスパンドメタルなどを用いることができる。また、補強体６は、生育基盤４から発芽したり周辺から自然侵入した植物の根系が貫通したりできる程度の網目を有するものが好適である。
【００４４】
従来の技術は、補強体を点的なアンカーで押さえるため、表層が動いた場合にアンカーと補強体との接続部分の欠損等により、十分な効果が得られなかった。従来は、この問題点に対処するために補強体の幅を小さくして、比較的多数の補強体を設置する必要があった。これに対し、図８に示した構成によれば、本発明のアンカーの有する翼状部により補強体６を全体的に面的に押えることができるので、表層が不安定化するおそれのある傾斜地を効率的に安定保持することが可能となる。また、本発明のアンカーの翼状部のカバーする範囲に合わせて補強体の幅を決定することができるので、従来よりも少ないアンカーで、表層が不安定化するおそれのある傾斜地を効率的に安定保持することが可能となる。
【００４５】
次に、図７、図８及び図９を用いて、本発明における生育基盤の吹き付け方法の例を説明する。上述した図７の例では、補強体を用いずに網状体２をアンカー３で固定した後、生育基盤４を網状体２の上に吹き付ける。また、上述した図８の例では、網状体２と所定の方向の補強体６とを布設し、網状体２と補強体６をアンカーで固定した後、生育基盤４を網状体２の上に吹き付ける。いずれも、複数のアンカー３は、所定の方向に複数の列を形成するように設置されている。このとき、網状体２の全面に生育基盤４を吹き付ける方法以外に、以下のような方法を行うことができる。
【００４６】
第１の吹き付け方法は、アンカー３の各列の位置に中心線Ｃ１、Ｃ２、Ｃ３をもつ帯状の第１の範囲の網状体２の上にのみ生育基盤４を吹き付ける方法である。このとき、第１の範囲の幅は、アンカー３の各列に垂直な方向におけるアンカー３の翼状部の差し渡し長さＬ１、Ｌ２、Ｌ３を少なくとも有するようにする。なお、一方向のみ、又は、二方向若しくは三方向を組合せで吹き付けてもよい。例えば、略横方向に吹き付けた場合、図９（ａ）に示したような状態となる。但し、図９は簡略図であり、網状体２の外郭と、アンカー３と、生育基盤４のみを示している。
【００４７】
第１の吹き付け方法の変形例を、図９（ａ１）に示す。図９（ａ）の第１の吹き付け方法の場合、生育基盤４を吹き付けしない部分には、網状体２が露出した状態となる。この場合、網状体２の網目が大きいと、小石等が網目から抜け落ち落下するおそれがある。そこで、図９（ａ１）の方法では、生育基盤４の吹き付け前に、生育基盤４を吹き付けしない部分（アンカー３の無い部分）の網状体２に対し、網状体２の網目よりも細かい網目をもつネットやマット等の補助被覆体８を布設し、その後に生育基盤４の吹き付けを行う。これにより、生育基盤４の無い部分からの小石等の落下を防ぎ、安全保護を図ることができる。補助被覆体８は、網状体２の上面側に重ねることが効率的で好適であるが、下面側でもよい。
【００４８】
また別の変形例として、生育基盤を吹き付けしない網状体２の部分において、周囲から飛来する種子による自然侵入を図って緑化したい場合は、補助被覆体８として、種子を捕捉しやすい凹凸のあるネットやマット、所定の厚みを有する立体構造のネットやマット、又はポケット構造を有するネットやマット等を用いることが好適である。
【００４９】
第２の吹き付け方法は、第１の吹き付け方法とは逆に、上記第１の範囲以外の帯状の第２の範囲に生育基盤を吹き付ける方法である。第２の範囲の幅は、図７及び図８において符号Ｓ１、Ｓ２、Ｓ３で示されている。この場合も、一方向のみ、二方向若しくは三方向の組合せで吹き付けてもよい。例えば、略横方向に吹き付けた場合、図９（ｂ）に示したような状態となる。
【００５０】
なお、第２の吹き付け方法においても、図示しないが、生育基盤４を吹き付けない部分（アンカー３のある部分）の網状体２に対し、小石等の落下防止のために図９（ａ１）と同様に補助被覆体８を重ねてもよい。但し、図８に示したようにアンカーのある部分の網状体２に補強体６を重ねた場合は、それにより二重構造となるので、補助被覆体は不要となることが多い。
【００５１】
このような生育基盤の吹き付け方法を適用することにより、傾斜地表面１に対して帯状（非面的）に生育基盤を容易に施工することができる。一般に、帯状の生育基盤を吹き付ける際には、帯状に吹き付ける位置の位置出し作業が必要となるが、本発明の場合、図７の例ではアンカーの列が、図８の例ではアンカーの列と補強体が、そのまま吹き付け位置の目安となる。
【００５２】
従って、傾斜地表面１の補強を行うとともに、生育基盤を帯状（非面的）に吹き付けする際に必要な位置だし作業を併せて行うことができる。つまり、本発明によれば、法面に帯状（非面的）に生育基盤を造成する工法の法面保護工としての効果を大きく高めることが可能となる。これにより、横帯状、縦帯状、斜め帯状、あるいは格子状の非面的な生育基盤の吹き付けを容易に行うことができる。
【００５３】
生育基盤の吹き付け方法のバリエーションとして、図８において補強体６が存在する範囲以外の範囲のみに対して生育基盤４を非面的に吹き付けることも可能である。例えば、図９（ｃ）に示したような状態となる。この方法は、アンカー３や補強体６の目視による点検管理を継続して行う必要がある場合に有効である。また、図８の例において、補強体６が、少なくとも根系が伸長可能な網目を有する場合、周辺から飛来する種子が定着しやすく、植物の自然侵入による自然回復にも有効である。特に、補強体６を、所定の厚みを有する網目構造とすることにより、飛来種子を網目の中に補足し易くなるので好適である。
【００５４】
最後に、図７、図８及び図１０を用いて、生育基盤と硬化材料を組み合わせた吹き付け方法について説明する。この方法では、アンカー３の各列の位置に中心線Ｃ１、Ｃ２、Ｃ３をもつ帯状の第１の範囲に対し網状体２の上に硬化材料７を吹き付ける。そして、第１の範囲以外の第２の範囲に対し網状体２の上に生育基盤４を吹き付ける。第１の範囲の幅は、アンカーの各列に垂直な方向におけるアンカーの翼状部の差し渡し長さＬ１、Ｌ２、Ｌ３を少なくとも有するようにする。なお、一方向のみ、又は、二方向若しくは三方向を組合せで吹き付けてもよい。例えば、略横方向に吹き付けた場合、図１０に示したような状態となる。図１０も図９と同様の簡略図である。硬化材料７の厚さは、少なくともアンカー３の翼状部が隠れる程度とすることが好適である。
【００５５】
硬化材料７としては、モルタル、コンクリートの他、貧配合のソイルセメントなど、公知の方法を適用できる。生育基盤４に代えて硬化材料７を吹き付けることにより、傾斜地の安定効果をさらに高めることができる。なお、モルタル吹付工やコンクリート吹付工を適用した場合、構造物の上を修景緑化するためには、一般に１０ｃｍ程度の厚い生育基盤４の造成が必要である。一方、貧配合のソイルセメント吹付工を適用した場合には、セメント量に依存するが、その上を緑化することは基本的に可能である。
【００５６】
硬化材料７としてモルタルを吹き付ける場合、対象範囲以外の場所にモルタルのリバウンドが付着すると、緑化の障害となるため好ましくない。そこで、モルタルを用いる場合は、硬化材料７と生育基盤４の吹き付けを次の手順で行うことが好適である。先ず、生育基盤４の対象範囲に養生シートを張り付けた後に、硬化材料７の対象範囲にモルタル吹付を行う。その後、養生シートを剥がして生育基盤４を吹き付ける。なお、この場合に、養生シートに代えて、種子を捕捉しやすい凹凸のあるネットやマットを設置すれば、生育基盤４の吹き付けを行わなくとも周辺から飛来する種子により緑化することが可能となる。
【産業上の利用可能性】
【００５７】
法面保護工の分野では、環境意識の高まりによって、従来の法面防災機能の確保に加え、自然環境保全機能の確保が求められるようになってきている。自然環境保全機能を発揮させるためには緑化が必要となるが、植物根系による土壌緊縛効果は法面の表層部分に限られる。よって、法面保護工として地山の風化に伴う表層崩壊を防止するためには、植物根系では補えない比較的深い位置からの崩壊に対する防止機能を持たせる必要がある。
【００５８】
本発明は、法面崩壊防止を図る法枠工のような大規模構造物までは必要ないが、植生工のみでは崩壊リスクを回避できないような傾斜地に対して法面防災機能を高め、かつ、緑化工によって自然環境保全機能をも発揮させることができ、法面防災と環境保全の両立が求められる法面緑化や治山緑化の分野において広く利用することができる。
【００５９】
もちろん、さらに深い位置からの滑りを想定して、本発明のアンカーの変わりに抑止工のグラウンドアンカー工を適用することもできる。本発明を用いれば、グラウンドアンカー工と非面的吹付緑化を容易に併用することが可能となる。
【００６０】
また、近年の緑化工では、生物多様性を配慮するため、従来から多用されていきた外来牧草類に代わり、在来種による緑化が求められている。本発明は、補強体にも植物根系が貫通可能であることから、従来から多用されてきた草本植物なもちろんのこと、根系が発達する木本植物を導入した場合でも根系の伸長阻害を生じるおそれがない。これにより、木本植物による樹林化工法として利用することができる。
【００６１】
また、これまでは施工対象地である傾斜地表面全体に生育基盤を吹き付けて緑化する方法（全面緑化）が適用されてきた。しかし、緑化工により法面全体に植物を成立させると、周辺から飛来した種子が定着できなかったり、定着したとしても全面に生育している植物によって被圧されたりして、周辺からの自然侵入が妨げられ、植生遷移が停滞したりする問題を有していた。
【００６２】
近年では、生物多様性に配慮して、地域の自然性豊かな植物群落の形成を緑化目標とする場合がある。本発明は、施工対象地である傾斜地表面に非面的な生育基盤を吹き付けることができるので、非面的に生育基盤を吹き付けした部分に導入植物が密に繁茂したとしても、その余の生育基盤を吹き付けしていない部分が残る。そのため、この吹付していない箇所に、周辺から飛来した種子が容易に定着することができるので、植生遷移を停滞させることなく進行させたい場合に利用することができる。
【００６３】
また、本発明は、生育基盤に外来牧草種子を混合する従来の緑化の他、在来種種子を生育基盤に混合して自然再生を図る地域性種苗利用工、生育基盤に周辺の林内等で採取した表土を混合して埋土種子から自然再生を図る表土利用工、及び生育基盤に種子を混合しないで、周辺から飛来する種子から自然再生を図る自然侵入促進工としても用いることができ、生物多様性に配慮した緑化工法として利用することができる。
【符号の説明】
【００６４】
１  傾斜地の表面
２  網状体
３、３Ａ、３Ｂ、３Ｃ、３Ｄ  アンカー
３１  翼状部
３２  アンカー本体部
３３  アンカー上端部
３４  ボルト部
３５  ナット
３６  貫通孔
４  生育基盤
５  嵌合部
５１  溝又は切り欠き等
６  補強体
７  硬化材料
８  補助被覆体
Ｃ１、Ｃ２、Ｃ３  アンカー列の位置を中心線とする帯状範囲の中心線
Ｌ１、Ｌ２、Ｌ３  翼状体の差し渡し長さ（第１の範囲の幅）
Ｓ１、Ｓ２、Ｓ３  第２の範囲の幅
【図１】
2015175118.tif 000003
【図２】
2015175118.tif 000004
【図３】
2015175118.tif 000005
【図４】
2015175118.tif 000006
【図５】
2015175118.tif 000007
【図６】
2015175118.tif 000008
【図７】
2015175118.tif 000009
【図８】
2015175118.tif 000010
【図９】
2015175118.tif 000011
【図１０】
2015175118.tif 000012